(57)【要約】      （修正有）【課題】機械室の出入口を塞いでいるプレートを取外すための取り外し用取手の取付け作業を無くし、プレートの収納、敷設を自動的に行い作業員の手や足が挟まれる事故等がなくなること。【解決手段】乗客コンベア用プレート収納・敷設装置２０は、複数に分割されたプレート１と、該複数に分割された各プレート１のそれぞれに設置されたローラー２と、機械室１２の出入口１２a及び機械室の鉛直壁１２bて湾曲部を介して連続して設けられ、ローラー２を介して各プレート１が移動するレール３と、ローラー２付の各プレート１を固定するロープ７と、機械室の出入口１２a側ロープ７の端部が接続され、ロープ７を弛ませ或いは巻き取ることで各プレート１を前記レール３を介して移動させるモーター８と、機械室の鉛直壁側のロープ７の端部が接続され、各プレート１をレール３の機械室の鉛直壁に沿ってロープ７を介して牽引するウェイトプレート１０とを備える。【選択図】図１
2018108868.tif 000002
【特許請求の範囲】
【請求項１】
乗客コンベアの乗降口の下に設けられている機械室の出入口を覆うプレートを、前記機械室に収納したり元の位置に敷設したりする乗客コンベア用のプレート収納・敷設装置であって、
前記乗客コンベア用のプレート収納・敷設装置は、複数に分割されたプレートと、該複数に分割された各プレートのそれぞれに設置されたローラーと、前記機械室の出入口及び前記機械室の鉛直壁に沿って湾曲部を介して連続して設けられ、前記ローラーを介して前記各プレートが移動するレールと、前記ローラー付の各プレートを固定するロープと、前記機械室の出入口側の前記ロープの端部が接続され、前記ロープを弛ませ或いは巻き取ることで前記ローラー付の各プレートを前記レールを介して移動させるモーターと、前記機械室の鉛直壁側の前記ロープの端部が接続され、前記ローラー付の各プレートを前記レールの前記機械室の鉛直壁に沿って前記ロープを介して牽引するウェイトプレートとを備え、
前記モーターが前記ロープを弛ませた際に前記ウェイトプレートが前記機械室の鉛直壁に沿って前記ロープを介して牽引することで前記各プレートが前記機械室内に収納され、前記モーターが前記ロープを巻き取ることで前記各プレートが前記機械室の出入口を覆うように敷設されることを特徴とする乗客コンベア用プレート収納・敷設装置。
【請求項２】
請求項１に記載の乗客コンベア用プレート収納・敷設装置において、
前記各プレートは、上方側より下方側が短い台形状に形成されていることを特徴とする乗客コンベア用プレート収納・敷設装置。
【請求項３】
請求項１又は２に記載の乗客コンベア用プレート収納・敷設装置において、
前記レールは断面コ字状又はＣ字状に形成され、この断面コ字状又はＣ字状の前記レール内に前記ローラーが設置されていることを特徴とする乗客コンベア用プレート収納・敷設装置。
【請求項４】
請求項１乃至３のいずれか１項に記載の乗客コンベア用プレート収納・敷設装置において、
前記プレートの端部にはプレート固定部が、前記ウェイトプレートの端部にはウェイトプレート固定部が設けられ、これらプレート固定部及びウェイトプレート固定部は、前記プレート及びウェイトプレートに開けられた穴にゴムが埋め込まれた構造となっており、かつ、前記プレートと前記ウェイトプレートの前記ゴムに、１本の前記ロープを連続して通すことで前記プレート及びウェイトプレートが固定されることを特徴とする乗客コンベア用プレート収納・敷設装置。
【請求項５】
請求項１乃至４のいずれか１項に記載の乗客コンベア用プレート収納・敷設装置において、
前記乗客コンベア用プレート収納・敷設装置は、該装置の非動作時に前記プレートを固定する安全ピン及び該安全ピンに押される安全スイッチを備え、
前記安全ピンは、前記装置の非動作時には、乗客コンベアの乗降口の下に設けられている機械室の出入口を保護する保護プレートに形成されている穴を通すように設置されて前記安全スイッチを常時押すことで、電気回路が遮断され前記モーターは駆動しないことを特徴とする乗客コンベア用プレート収納・敷設装置。
【請求項６】
請求項５に記載の乗客コンベア用プレート収納・敷設装置において、
前記乗客コンベア用プレート収納・敷設装置は、該装置の動作時に前記安全ピンが前記保護プレートの穴に挿入されず、かつ、前記装置を操作するプレート収納装置操作キーが操作されると電気回路が接続されて前記モーターが駆動し、前記プレートは前記機械室に収納されることを特徴とする乗客コンベア用プレート収納・敷設装置。
【請求項７】
請求項６に記載の乗客コンベア用プレート収納・敷設装置において、
前記乗客コンベア用プレート収納・敷設装置は、前記プレートが前記機械室に収納されたら前記保護プレートの穴に前記安全ピンを挿入することにより電気回路が遮断され、前記プレート収納装置操作キーの操作の有無に拘わらず前記モーターは駆動しないことを特徴とする乗客コンベア用プレート収納・敷設装置。
【請求項８】
請求項６に記載の乗客コンベア用プレート収納・敷設装置において、
前記プレート収納装置操作キーは、前記プレートの収納方向（開操作）及び前記プレートの敷設方向（閉操作）に操作可能であり、前記プレート収納装置操作キーを前記プレートの敷設方向に操作することで、前記モーターが前記プレートの収納方向とは逆方向に回転し、前記ロープを巻き上げて前記プレートを敷設することを特徴とする乗客コンベア用プレート収納・敷設装置。
【請求項９】
乗客コンベアの乗降口の下に設けられている機械室の出入口を覆うプレートを、前記機械室に収納したり元の位置に敷設したりする乗客コンベア用のプレート収納・敷設方法であって、
前記乗客コンベア用の前記プレートを収納・敷設する装置は、複数に分割されたプレートと、該複数に分割された各プレートのそれぞれに設置されたローラーと、前記機械室の出入口及び前記機械室の鉛直壁に沿って湾曲部を介して連続して設けられ、前記ローラーを介して前記各プレートが移動するレールと、前記ローラー付の各プレートを固定するロープと、前記機械室の出入口側の前記ロープの端部が接続され、前記ロープを弛ませ或いは巻き取ることで前記ローラー付の各プレートを前記レールを介して移動させるモーターと、前記機械室の鉛直壁側の前記ロープの端部が接続され、前記ローラー付の各プレートを前記レールの前記機械室の鉛直壁に沿って前記ロープを介して牽引するウェイトプレートと、前記装置の非動作時に前記プレートを固定する安全ピン及び該安全ピンに押される安全スイッチと、前記装置を操作するプレート収納装置操作キーとを備え、
前記プレートの収納時は、前記安全ピンを、前記乗客コンベアの乗降口の下に設けられている機械室の出入口を保護する保護プレートに形成されている穴より引き抜くステップと、前記安全ピンを前記保護プレートに形成されている穴より引き抜くことで前記プレートが移動することを周知するブザーが鳴動するステップと、前記ブザーの鳴動中に前記プレート収納装置操作キーの操作を行うステップと、前記安全ピンが前記保護プレートに形成されている穴より引き抜かれた状態で、かつ、前記プレート収納装置操作キーを操作することで前記ロープが弛む方向に前記モーターが駆動し、前記ロープの弛みに伴い、前記プレートが前記ウェイトプレートに牽引されて前記機械室内に自動的に収納されるステップとから成り、
前記プレートの敷設時は、前記安全ピンを前記保護プレートに形成された穴より引き抜くステップと、前記安全ピンを前記保護プレートに形成された穴より引き抜くことで前記プレートが移動することを周知するブザーが鳴動するステップと、前記ブザーの鳴動中に前記プレート収納装置操作キーの操作を行うステップと、前記安全ピンが前記保護プレートに形成された穴より引き抜かれた状態で、かつ、前記プレート収納装置操作キーを操作することで前記ロープを巻き取る方向に前記モーターが駆動し、前記ロープが巻き取られることで、前記プレートが元の位置に自動的に敷設されるステップとから成ることを特徴とする乗客コンベア用プレート収納・敷設方法。
【請求項１０】
請求項９に記載の乗客コンベア用プレート収納・敷設方法において、
前記プレートの収納時は、前記プレートの前記機械室内への収納を確認した後、前記安全ピンを前記保護プレートに形成された穴に差し込むステップと、前記安全スイッチが前記安全ピンで押されることで前記モーター駆動の電気回路が遮断され、前記ブザーの鳴動が鳴り止むステップとを更に備え、
前記プレートの敷設時は、前記プレートが元の位置に敷設されたことを確認した後、前記安全ピンを前記保護プレートに形成された穴に差し込むステップと、前記安全ピンを前記保護プレートに形成された穴に差し込むことで、前記モーター駆動の電気回路が遮断され、前記ブザーの鳴動が鳴り止むステップとを更に備えていることを特徴とする乗客コンベア用プレート収納・敷設方法。
【発明の詳細な説明】
【技術分野】
【０００１】
本発明は乗客コンベア用プレート収納・敷設装置及びその方法に係り、例えば、乗客コンベアの乗降口の下に設けられている機械室の出入口を塞いでいるプレートを取外し収納したり、取外したプレートを機械室の出入口を塞ぐために再度敷設するものに好適な乗客コンベア用プレート収納・敷設装置及びその方法に関する。
【背景技術】
【０００２】
一般に、乗客コンベアの１つであるエスカレーターの乗降口の下に設けられている機械室内へ作業員が入って保守、点検を行う時には、機械室の出入口を塞いでいるプレートの取外し作業が伴う。このプレートの取外し作業には、プレートを固定しているボルトの取外し及びプレートを取外すための取り外し用取手の取付け作業が必要であった。
【０００３】
このような機械室の出入口を塞いでいるプレートを固定しているプレートを取外すための取り外し用取手の取付け作業を無くした先行技術文献として、特許文献１を挙げることができる。
【０００４】
この特許文献１には、マンホールカバー（プレートに相当）を取外すことなく機械室内に収納するために、機械室の出入口を覆うマンホールカバーと、マンホールカバーを機械室内に収納する収納箱と、マンホールカバーの下面の両端に設けられたレールと、このレールを介してマンホールカバーを移動させるために収納箱の入口の両側にそれぞれ軸支されたガイドローラーとを備え、マンホールカバーを開ける場合には、作業員が取付けネジを外して、その取付けネジが挿入されていたマンホールカバーの孔にレンチを引っ掛けて、マンホールカバーを少しずつ持ち上げることでガイドローラーに沿ってレールを介してマンホールカバーが移動し、機械室内の収納箱に収納されるエスカレーター用収納型マンホールカバー装置が記載されている。
【先行技術文献】
【特許文献】
【０００５】
【特許文献１】特開平８−７３１６２号公報
【発明の概要】
【発明が解決しようとする課題】
【０００６】
上述した従来技術では、機械室の出入口を塞いでいるプレート（マンホールカバー）を取外すための取り外し用取手の取付け作業を無くすことはできるが、プレートを取外すために、作業員が取付けネジを外して、その取付けネジが挿入されていたマンホールカバーの孔にレンチを引っ掛けて、マンホールカバーを少しずつ持ち上げる必要がある。
【０００７】
しかしながら、プレートは重量があるため持ち上げるのに苦慮し、作業中に誤って作業員の手とか足が挟まれる事故等が生じる恐れがあった。また、プレートは、保守、点検作業が終了すると機械室の出入口を塞ぐために元の状態に敷設する必要があるが、この作業も作業員が行なうために収納時と同様な危険性があった。
【０００８】
本発明は上述の点に鑑みなされたもので、その目的とするところは、機械室の出入口を塞いでいるプレートを取外すための取り外し用取手の取付け作業を無くすことができることは勿論、プレートの収納、敷設を自動的に行い作業員の手や足が挟まれる事故等が生じる恐れのない乗客コンベア用プレート収納・敷設装置及びその方法を提供することにある。
【課題を解決するための手段】
【０００９】
本発明の乗客コンベア用プレート収納・敷設装置は、上記目的を解決するために、乗客コンベアの乗降口の下に設けられている機械室の出入口を覆うプレートを、前記機械室に収納したり元の位置に敷設したりする乗客コンベア用のプレート収納・敷設装置であって、前記乗客コンベア用のプレート収納・敷設装置は、複数に分割されたプレートと、該複数に分割された各プレートのそれぞれに設置されたローラーと、前記機械室の出入口及び前記機械室の鉛直壁に沿って湾曲部を介して連続して設けられ、前記ローラーを介して前記各プレートが移動するレールと、前記ローラー付の各プレートを固定するロープと、前記機械室の出入口側の前記ロープの端部が接続され、前記ロープを弛ませ或いは巻き取ることで前記ローラー付の各プレートを前記レールを介して移動させるモーターと、前記機械室の鉛直壁側の前記ロープの端部が接続され、前記ローラー付の各プレートを前記レールの前記機械室の鉛直壁に沿って前記ロープを介して牽引するウェイトプレートとを備え、前記モーターが前記ロープを弛ませた際に前記ウェイトプレートが前記機械室の鉛直壁に沿って前記ロープを介して牽引することで前記各プレートが前記機械室内に収納され、前記モーターが前記ロープを巻き取ることで前記各プレートが前記機械室の出入口を覆うように敷設されることを特徴とする。
【００１０】
また、本発明の乗客コンベア用プレート収納・敷設方法は、上記目的を解決するために、乗客コンベアの乗降口の下に設けられている機械室の出入口を覆うプレートを、前記機械室に収納したり元の位置に敷設したりする乗客コンベア用のプレート収納・敷設方法であって、前記乗客コンベア用の前記プレートを収納・敷設する装置は、複数に分割されたプレートと、該複数に分割された各プレートのそれぞれに設置されたローラーと、前記機械室の出入口及び前記機械室の鉛直壁に沿って湾曲部を介して連続して設けられ、前記ローラーを介して前記各プレートが移動するレールと、前記ローラー付の各プレートを固定するロープと、前記機械室の出入口側の前記ロープの端部が接続され、前記ロープを弛ませ或いは巻き取ることで前記ローラー付の各プレートを前記レールを介して移動させるモーターと、前記機械室の鉛直壁側の前記ロープの端部が接続され、前記ローラー付の各プレートを前記レールの前記機械室の鉛直壁に沿って前記ロープを介して牽引するウェイトプレートと、前記装置の非動作時に前記プレートを固定する安全ピン及び該安全ピンに押される安全スイッチと、前記装置を操作するプレート収納装置操作キーとを備え、前記プレートの収納時は、前記安全ピンを、前記乗客コンベアの乗降口の下に設けられている機械室の出入口を保護する保護プレートに形成されている穴より引き抜くステップと、前記安全ピンを前記保護プレートに形成されている穴より引き抜くことで前記プレートが移動することを周知するブザーが鳴動するステップと、前記ブザーの鳴動中に前記プレート収納装置操作キーの操作を行うステップと、前記安全ピンが前記保護プレートに形成されている穴より引き抜かれた状態で、かつ、前記プレート収納装置操作キーを操作することで前記ロープが弛む方向に前記モーターが駆動し、前記ロープの弛みに伴い、前記プレートが前記ウェイトプレートに牽引されて前記機械室内に自動的に収納されるステップとから成り、前記プレートの敷設時は、前記安全ピンを前記保護プレートに形成された穴より引き抜くステップと、前記安全ピンを前記保護プレートに形成された穴より引き抜くことで前記プレートが移動することを周知するブザーが鳴動するステップと、前記ブザーの鳴動中に前記プレート収納装置操作キーの操作を行うステップと、前記安全ピンが前記保護プレートに形成された穴より引き抜かれた状態で、かつ、前記プレート収納装置操作キーを操作することで前記ロープを巻き取る方向に前記モーターが駆動し、前記ロープが巻き取られることで、前記プレートが元の位置に自動的に敷設されるステップとから成ることを特徴とする。
【発明の効果】
【００１１】
本発明によれば、機械室の出入口を塞いでいるプレートを取外すための取り外し用取手の取付け作業を無くすことができることは勿論、プレートの収納、敷設を自動的に行い作業員の手や足が挟まれる事故等が生じる恐れはなくなる。
【図面の簡単な説明】
【００１２】
【図１】本発明の乗客コンベア用プレート収納・敷設装置の実施例１であるエスカレーターにおける非動作時の状態を示す概略構成図である。
【図２】本発明の乗客コンベア用プレート収納・敷設装置の実施例１であるエスカレーターの非動作時におけるプレートを上面から見た状態を示す図である。
【図３】本発明の乗客コンベア用プレート収納・敷設装置の実施例１であるエスカレーターの動作時におけるプレートを上面から見た状態を示す図である。
【図４】本発明の乗客コンベア用プレート収納・敷設装置の実施例１であるエスカレーターを図１のＡ方向から見た図である。
【図５】本発明の乗客コンベア用プレート収納・敷設装置の実施例１であるエスカレーターの非動作時の電気回路を示す図である。
【図６】本発明の乗客コンベア用プレート収納・敷設装置の実施例１であるエスカレーターにおける動作時の状態を示す概略構成図である。
【図７】本発明の乗客コンベア用プレート収納・敷設装置の実施例１であるエスカレーターの動作時の電気回路を示す図である。
【図８】本発明の乗客コンベア用プレート収納・敷設装置の実施例１であるエスカレーターにおける動作完了後の状態を示す概略構成図である。
【図９】本発明の乗客コンベア用プレート収納・敷設装置の実施例１であるエスカレーターの動作完了後の電気回路を示す図である。
【図１０】本発明の乗客コンベア用プレート収納・敷設装置の実施例１であるエスカレーターにおけるモーター駆動スイッチ操作時の電気回路を示す図である。
【図１１】本発明の乗客コンベア用プレート収納・敷設装置の実施例１であるエスカレーターにおけるプレート敷設時の電気回路を示す図である。
【図１２】本発明の乗客コンベア用プレート収納・敷設方法のエスカレーターにおけるプレート収納時の動作を示すフローチャートである。
【図１３】本発明の乗客コンベア用プレート収納・敷設方法のエスカレーターにおけるプレート敷設時の動作を示すフローチャートである。
【発明を実施するための形態】
【００１３】
以下、図示した実施例に基づいて本発明の乗客コンベア用プレート収納・敷設装置及びその方法を説明する。なお、各図において、同一構成部品には同符号を使用する。
【実施例１】
【００１４】
図１に、本発明の乗客コンベア用プレート収納・敷設装置の実施例１として、エスカレーターに適用した例を示す。
【００１５】
該図に示すように、本実施例のエスカレーター用プレート収納・敷設装置２０は、エスカレーター１３の乗降口の下にある機械室１２の出入口１２ａを覆うプレート１を、機械室１２に収納したり元の位置に敷設したりする装置であり、その構成は、複数に分割されたプレート１と、複数に分割された各プレート１のそれぞれに設置されたローラー２と、機械室１２の出入口１２ａ及び機械室１２の鉛直壁１２ｂに沿ってレール湾曲部３ａを介して連続して設けられ、ローラー２を介して各プレート１が移動するレール３と、ローラー２付の各プレート１を固定するロープ７と、機械室１２の出入口１２ａ側のロープ７の端部が接続され、ロープ７を弛ませたり或いは巻き取ることでローラー２付の各プレート１を移動させるモーター８と、機械室１２の鉛直壁１２ｂ側のロープ７の端部が接続され、ローラー２付の各プレート１をレール３の機械室１２の鉛直壁１２ｂに沿ってロープ７を介して牽引するローラー１０ａ付きのウェイトプレート１０とを備えて概略構成されている。
【００１６】
各プレート１は、図１の上方側より下方側が短い台形状に形成されていると共に、図４に示すように、レール３は断面コ字状又はＣ字状に形成され、この断面コ字状又はＣ字状のレール３内にローラー２が設置されている。
【００１７】
また、プレート１の端部にはプレート固定部１ａが、ローラー１０ａ付きのウェイトプレート１０の端部にはウェイトプレート固定部１０ｂがそれぞれ設けられており、これらプレート固定部１ａ及びウェイトプレート固定部１０ｂは、図４に示すように（図４にはプレート１部分を示している）、プレート１に開けられた穴１ｂにゴム１ｃが埋め込まれた構造（ウェイトプレート１０も同様な構造）となっており、かつ、プレート１のゴム１ｂに、１本の上述したロープ７を連続して通すことでプレート１及びウェイトプレート１０が固定されている。
【００１８】
そして、モーター８がロープ１を弛ませた際に、ローラー１０ａ付きのウェイトプレート１０が機械室１２の鉛直壁１２ｂに設置されているレール３に沿ってロープ７を介して牽引することで各プレート１が機械室１２内に収納され、モーター８がロープ７を巻き取ることで各プレート１が、レール３に沿って機械室１２の出入口１２ａを覆うように敷設されるものである。
【００１９】
更に、詳述すると、本実施例のエスカレーター用プレート収納・敷設装置２０において、複数枚に分割されたプレート１は、ロープ７を介して固定用のプレート固定部１ａにより固定されており、人が乗降する面は平面となる。
【００２０】
また、プレート１は、レール３上に設置することで、エスカレーター乗客の乗り降り等でプレート１に負荷が生じた場合でも安定した状態を保ち、更に、プレート１は、ローラー２を有しており、レール３に沿っての移動を可能としている。
【００２１】
前述したレール３は、エスカレーター１３の機械室１２内に設置するため、スペースを最小限にすべく湾曲した構造で、機械室１２の鉛直壁１２ｂに固定されている。
【００２２】
また、前述したプレート１は、複数枚に分割されており、それぞれ上方側より下方側が短い台形状とすることで、湾曲した構造のレール３に沿って移動した際に、隣接するプレート１同士が重なることなくスムーズに移動が可能となる。即ち、プレート１が長方形だとレール湾曲部３ａで隣接するプレート１同士が重なり合うが、プレート１を上方側より下方側が短い台形状とすることによりプレート１の下方側で逃げ部が生じ、レール湾曲部３ａで隣接するプレート１同士が重なり合うことはない。
【００２３】
また、前述したプレート１を自動で移動させる手段とし、プレート１にロープ７を通し、滑車６を経由しモーター８に接続している。このモーター８は、エスカレーター１３の機械室１２内からでも手動で操作を可能とすべくモーター駆動スイッチ９を備えている。そして、モーター８が移動することでロープ７が上方に弛み、プレート１を牽引する重さのウェイトプレート１０により、ロープ７でつながれている他のプレート１も追従して移動する。前述したウェイトプレート１０は、プレート１と同様にローラー１０ａを有しており、プレート１を牽引するためレール湾曲部３ａに設置されている。
【００２４】
図２及び図３は、プレート１を上面から見た状態を示す図であり、図２は、本実施例のエスカレーター用プレート収納・敷設装置２０が非動作時の状態（図１の状態）、図３は、本実施例のエスカレーター用プレート収納・敷設装置２０が動作時の状態（後述する図６の状態）をそれぞれ示している。
【００２５】
図２に示すように、本実施例のエスカレーター用プレート収納・敷設装置２０が非動作時の状態では、ロープ７で連結されている各プレート１は、レール３上に載置されて、機械室１２の出入口１２ａを塞いでいる（図１の状態）。
【００２６】
また、図３に示すように、本実施例のエスカレーター用プレート収納・敷設装置２０が動作時の状態では、各プレート１は、エスカレーターの機械室１２内に収納されて、機械室１２の出入口１２ａを開放している（図６の状態）。
【００２７】
図４は、本実施例のエスカレーター用プレート収納・敷設装置２０におけるローラー２とレール３の関係を示し、図１のＡ方向から見た図である。
【００２８】
該図に示す如く、レール３は断面コ字状又はＣ字状に形成されており、この断面コ字状又はＣ字状のレール３にローラー２を組み込むように設置することで、プレート１が落下しない構造としている。
【００２９】
また、ロープ７は、プレート１の両端及びウェイトプレート１０の両端を通すことで、プレート１の安定性を向上させている。即ち、プレート１の端部にはプレート固定部１ａが、ウェイトプレート１０の端部にはウェイトプレート固定部１０ｂ（図１参照）が設けられ、これらのプレート固定部１ａ及びウェイトプレート固定部１０ｂは、プレート１及びウェイトプレート１０に開けられた穴にゴムが埋め込まれた構造となっており、各プレート１とウェイトプレート１０のゴムに、１本のロープ７を連続して通し、プレート１及びウェイトプレート１０を固定することで安定性を向上させている。
【００３０】
次に、本実施例のエスカレーター用プレート収納・敷設装置２０の動作とその時の電気回路について、図５乃至図９を用いて説明する。
【００３１】
本実施例では、図１にエスカレーター用プレート収納・敷設装置２０の非動作時の状態、図５にその時の電気回路を、図６にエスカレーター用プレート収納・敷設装置２０の動作時の状態、図７にその時の電気回路を、図８にエスカレーター用プレート収納・敷設装置２０の動作完了後の状態、図９にその時の電気回路をそれぞれ示す。
【００３２】
図１に示すように、本実施例のエスカレーター用プレート収納・敷設装置２０は、エスカレーター用プレート収納・敷設装置２０の非動作時にプレート１を固定する安全ピン４及び安全ピン４に押される安全スイッチ４ａを備え、安全ピン４は、エスカレーター用プレート収納・敷設装置２０の非動作時には、エスカレーター１３の乗降口の下に設けられている機械室１２の出入口１２ａを保護する保護プレート１１に形成されている穴を通すように設置され、安全スイッチ４ａを常時押すことで電気回路が遮断されてモーター８は駆動しないようになっている。
【００３３】
即ち、本実施例のエスカレーター用プレート収納・敷設装置２０が非動作時の状態では、プレート１は、通常、安全ピン４により固定されている。この安全ピン４は、機械室１２の出入口１２ａを保護する保護プレート１１に形成されている穴を通すように設置されており、安全スイッチ４ａを常時押している。安全ピン４が、保護プレート１１に形成された穴に挿入され安全スイッチ４ａを押している場合、電気回路が遮断されモーター８は駆動しない構成となっている。
【００３４】
この時の電気回路は、図５に示すように、ＳＷ１（自動プレート収納装置操作キー５）は、“開”（プレート１の開（収納）方向）及び“閉”（プレート１の閉（敷設）方向）のいずれにも投入されておらず、しかも、ＳＷ２（安全スイッチ４ａ）及びＳＷ３（モーター駆動スイッチ９）が開放されており、“Ｍ”（モーター８）は駆動しない（“Ｍ”（モーター８）の矢印は電流の流れる向きを示し、“開”及び“閉”は、矢印方向の電流時のプレート１の開（収納）方向及び閉（敷設）方向を示す）回路構成となっている。
【００３５】
つまり、エスカレーター１３に設けた自動プレート収納装置操作キー５（ＳＷ１）、この自動プレート収納装置操作キー５（ＳＷ１）と安全スイッチ４ａ（ＳＷ２）又はモーター駆動スイッチ９（ＳＷ３）を操作しないと電気回路は遮断された状態となり、モーター８は駆動しない構成となっている。
【００３６】
また、図６に示すように、本実施例のエスカレーター用プレート収納・敷設装置２０が動作時の状態では、安全ピン４が保護プレート１１に形成された穴に挿入されておらず、しかも、自動プレート収納装置操作キー５が操作されると電気回路が接続されてモーター８が駆動し、プレート１はエスカレーターの機械室１２に収納される構成となっている。
【００３７】
この時の電気回路は、図７に示すように、ＳＷ１（自動プレート収納装置操作キー５）は“開”（プレート１の開（収納）方向）に投入され、ＳＷ２（安全スイッチ４ａ）の“開”側が投入され、ＳＷ３（モーター駆動スイッチ９）が開放されており、“Ｍ”（モーター８）への電流はプレート１の開（収納）方向に流れるので、“Ｍ”（モーター８）が駆動し、プレート１はエスカレーターの機械室１２に収納される構成となっている。
【００３８】
また、図８に示すように、本実施例のエスカレーター用プレート収納・敷設装置２０が動作完了後の状態では、プレート１が機械室１２に収納された後、保護プレート１１に形成された穴に安全ピン４を挿入することにより電気回路が遮断され、自動プレート収納装置操作キー５の操作の有無に拘わらずモーター８は駆動しない構成となっている。
【００３９】
この時の電気回路は、図９に示すように、ＳＷ１（自動プレート収納装置操作キー５）は“開”（プレート１の開（収納）方向）に投入され、ＳＷ２（安全スイッチ４ａ）及びＳＷ３（モーター駆動スイッチ９）が開放されており、“Ｍ”（モーター８）へは電流が流れないので、自動プレート収納装置操作キー５の操作の有無に拘わらずモーター８は駆動しない構成となっている。
【００４０】
図１０は、本実施例のエスカレーター用プレート収納・敷設装置２０において、モーター駆動スイッチ９を操作した際の電気回路の概略を示す。
【００４１】
例えば、エスカレーターの機械室１２内に作業員が居て、別の作業員が誤って自動プレート収納装置操作キー５を操作してプレート１が閉じて（敷設）しまった場合に、エスカレーターの機械室１２内からでもプレート１を開けることが可能な構成となっている。また、モーター駆動スイッチ９はプレート１を開ける方向のみにしか動作しない構成となっている。
【００４２】
即ち、図１０に示すように、ＳＷ１（自動プレート収納装置操作キー５）は、“開”（プレート１の開（収納）方向）及び“閉”（プレート１の閉（敷設）方向）のいずれにも投入されておらず、また、安全スイッチ４ａ）は開放され、ＳＷ３（モーター駆動スイッチ９）が投入されており、“Ｍ”（モーター８）にはプレート１の開（収納）方向に電流が流れており、別の作業員が誤って自動プレート収納装置操作キー５を操作してプレート１が閉じて（敷設）しまった場合でも、ＳＷ３（モーター駆動スイッチ９）が投入されており、エスカレーターの機械室１２内からでもプレート１を開けることが可能な構成となっているし、しかも、モーター駆動スイッチ９はプレート１を開ける方向（収納方向）のみにしか動作しない構成となっている。
【００４３】
図１１は、本実施例のエスカレーター用プレート収納・敷設装置２０により、プレート１が閉まる方向（敷設方向）に移動させる際の電気回路の概略を示す。
【００４４】
即ち、本実施例のエスカレーター用プレート収納・敷設装置２０において、プレート収納装置操作キー（ＳＷ１）５は３点式のスイッチとなっており、プレート１の収納方向（開操作）及びプレート１の敷設方向（閉操作）に操作可能であり、プレート収納装置操作キー（ＳＷ１）５をプレート１の敷設方向に操作することで、モーター（“Ｍ”）８がプレート１の収納方向とは逆方向に回転し、ロープ７を巻き上げてプレート１を敷設（閉まる）する構成となっている。
【００４５】
この時の電気回路は、図１１に示すように、ＳＷ１（自動プレート収納装置操作キー５）は“閉”（プレート１の閉（敷設）方向）に投入され、ＳＷ２（安全スイッチ４ａ）の“閉”側が投入され、ＳＷ３（モーター駆動スイッチ９）が開放されており、“Ｍ”（モーター８）への電流はプレート１の閉（敷設）方向に流れるので、“Ｍ”（モーター８）がプレート１の収納方向とは逆方向に回転し、ロープ７を巻き上げてプレート１を敷設（閉まる）する構成となっている。
【００４６】
次に、上述した本実施例のエスカレーター用プレート収納・敷設装置２０におけるプレート１の機械室１２内への収納時の動作について、図１２を用いて説明する。
【００４７】
図１２に示すように、プレート１の機械室１２内への収納時の動作は、安全ピン４を、エスカレーターの乗降口の下に設けられている機械室１２の出入口１２ａを保護プレート１１に形成されている穴より引き抜くステップ（Ｓ１）と、安全ピン４を保護プレート１１に形成されている穴より引き抜くことでプレート１が移動することを周知するブザー（図示しないが安全スイッチ４ａの付近に設置されている）が鳴動するステップ（Ｓ２）と（なお、ブザーは安全ピン４へのいたずら防止機能も兼ねており、安全ピン４が戻されるまで鳴動を継続する）、ブザーの鳴動中に自動プレート収納装置操作キー５の操作を行うステップ（Ｓ３）と、安全ピン４が保護プレート１１に形成されている穴より引き抜かれた状態で、かつ、自動プレート収納装置操作キー５を操作することでロープ７が弛む方向にモーター８が駆動し、ロープ７の弛みに伴い、プレート１がウェイトプレート１０に牽引されて機械室１２内に自動的に収納されるステップ（Ｓ４）と、プレート１の機械室１２内への収納を確認した後、安全ピン４を保護プレート１１に形成されている穴に差し込むステップ（Ｓ５）と（なお、安全ピン４を保護プレート１１に形成されている穴に差し込むことで、機械室１２内に人がいる状況において、プレート１の移動を物理的に阻止し手や足が挟まれるのを防止する）、安全スイッチ４ａが安全ピン４で押されることでモーター駆動の電気回路を遮断され、ブザーの鳴動が鳴り止むステップ（Ｓ６）との工程から成る。
【００４８】
また、本実施例のエスカレーター用プレート収納・敷設装置２０におけるプレート１の機械室１２から元の位置に敷設する時の動作について、図１３を用いて説明する。
【００４９】
図１３に示すように、プレート１の機械室１２から元の位置に敷設する時の動作は、安全ピン４を保護プレート１１に形成された穴より引き抜くステップ（Ｓ７）と、安全ピン４を保護プレート１１に形成された穴より引き抜くことでプレート１が移動することを周知するブザーが鳴動するステップ（Ｓ８）と（なお、ブザーは安全ピン４へのいたずら防止機能も兼ねており、安全ピン４が戻されるまで鳴動を継続する）、ブザーの鳴動中に自動プレート収納装置操作キー５の操作を行うステップ（Ｓ９）と、安全ピン４が保護プレート１１に形成された穴より引き抜かれた状態で、かつ、自動プレート収納装置操作キー５を操作することでロープ７を巻き取る方向にモーター８が駆動し、ロープ７が巻き取られることで、プレート１が元の位置に自動的で敷設されるステップ（Ｓ１０）と、プレート１が元の位置に敷設されたことを確認した後、安全ピン４を保護プレート１１に形成された穴に差し込むステップ（Ｓ１１）と、安全ピン４を保護プレート１１に形成された穴に差し込むことで、プレート１の移動の物理的な阻止及びモーター駆動の電気回路が遮断され、ブザーの鳴動が鳴り止むステップ（Ｓ１２）との工程から成る。
【００５０】
このような本実施例のエスカレーター用プレート収納・敷設装置及びその方法とすることにより、エスカレーターの機械室１２への入室作業時の挟まれ等による事故を低減することができ、また、プレート１をエスカレーターの機械室１２に収納するため、取外したプレート１に躓き転倒するといった可能性がなくなる。
【００５１】
従って、本実施例によれば、エスカレーターの機械室１２の出入口１２ａを塞いでいるプレート１を取外すための取り外し用取手の取付け作業を無くすことができることは勿論、プレートの収納、敷設を自動的に行い作業員の手や足が挟まれる事故等が生じる恐れはなくなり安全性が向上する。
【００５２】
なお、上述した実施例は、乗客コンベアとしてエスカレーターの例について説明したが、エスカレーターと同様に機械室の出入口を塞いでいるプレートを有する移動歩道に、本発明を用いても同様な効果を得ることができる。
【００５３】
また、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５４】
１…プレート、１ａ…プレート固定部、１ｂ…プレートの穴、１ｃ…プレートのゴム、２…ローラー、３…レール、３ａ…レール湾曲部、４…安全ピン、４ａ…安全スイッチ、５…自動プレート収納装置操作キー、６…滑車、７…ロープ、８…モーター、９…モーター駆動スイッチ、１０…ウェイトプレート、１０ａ…ウェイトプレートのローラー、１０ｂ…ウェイトプレート固定部、１１…保護プレート、１２…機械室、１２ａ…機械室の出入口、１２ｂ…機械室の鉛直壁、１３…エスカレーター、２０…エスカレーター用プレート収納・敷設装置。
【図１】
2018108868.tif 000003
【図２】
2018108868.tif 000004
【図３】
2018108868.tif 000005
【図４】
2018108868.tif 000006
【図５】
2018108868.tif 000007
【図６】
2018108868.tif 000008
【図７】
2018108868.tif 000009
【図８】
2018108868.tif 000010
【図９】
2018108868.tif 000011
【図１０】
2018108868.tif 000012
【図１１】
2018108868.tif 000013
【図１２】
2018108868.tif 000014
【図１３】
2018108868.tif 000015